(57)【特許請求の範囲】
【請求項１】
要介護者が車椅子とベッド等の間を移動する際にその移動を補助するための移乗補助装置であって、
要介護者が腰掛ける移乗板と、
その移乗板を昇降調節可能であるように支持する支持体と、を備えて構成され、
前記の移乗板は、平面形状を略「く」字形状であって、上面を水平とするとともに、両端に向かって薄くなるように形成し、
前記の支持体は、垂直方向の伸縮と垂直方向における適宜位置での固定とが可能であるガスシリンダと、
そのガスシリンダを支える脚と、
前記のガスシリンダの上部において水平回動自在に設けた座支持部と、
その座支持部に対して垂直方向の回転を自在とすることで前記の移乗板を傾斜可能とする座固定部と、
その座固定部と前記の座支持部との間に位置させた伸縮部材と、
を備えた移乗補助装置。
【請求項２】
前記移乗板の座表面には、水平面形状である略「く」字形状の長手方向に沿った凹凸を設けた請求項１に記載の移乗補助装置。
【請求項３】
前記移乗板を座固定部基部で継手により折りたたみ可能とした請求項１または請求項２のいずれかに記載の移乗補助装置。
【請求項４】
体幹を支持する背もたれを設けた請求項１から請求項３のいずれかに記載の移乗補助装置。
【請求項５】
前記脚にキャスターを設け、該キャスターは前記移乗板への載荷により収納部内に退避してストッパーが接地し、載荷解除時に弾性手段により復元するようにした請求項１から請求項３のいずれかに記載の移乗補助装置。
【請求項６】
前記脚を脚中央支持部基部で継手により折りたたみ可能とした請求項１から請求項５のいずれかに記載の移乗補助装置。
【発明の詳細な説明】
【技術分野】
【０００１】
本発明は、病院や介護施設及び一般家庭に於いて、高齢者や障がい者等の要介護者が車椅子とベッド等の間を介助又は自身で移乗する際に、移乗者や介護者の労力を軽減し安全に安定した移乗を目的とする移乗補助装置に関する。
【背景技術】
【０００２】
近年の高齢化の進行により介護労働の需要は大幅に増加している。高齢者や障がい者等の要介護者が車椅子からベッド等の目的物への移乗は日常的に頻繁で、移乗者の肉体的負担が大きいばかりでなく、介護者の腰部への負担が極めて大きく腰痛を引き起こす重大な問題となっている。
【０００３】
介護者の負担を軽減する為の移乗装置としては、これまでにもリフター等の機械的な介助補助装置（例えば特許文献１参照）や、対象物間のいわゆる渡り板であるトランスファーボード（例えば特許文献２参照）がある。
【特許文献１】特許第３６６１２９８号公報
【特許文献２】特開２００４−２２９８８２号公報
【発明の開示】
【発明が解決しようとする課題】
【０００４】
前記のリフター等の機械的な介助補助装置は、壁や天井、ベッド等への固定式であることが多く、移動式の場合も大型で重量があるため運搬が容易でないことから、設置場所が限定される。また設置作業が煩雑である場合も多く、日常的な介助に使用するのは困難である。
【０００５】
一方、トランスファーボードは、装置は簡便であるが、これまでのものは被介護者の体重を支持する強度が弱く、移乗途中にボードがたわんで被介護者がバランスを崩し転倒する恐れがある。また設置時はボードを車椅子に対して斜め前方から差し込む必要があるが、これまでのものはベッドと車椅子の肘掛部が邪魔になり使用が困難である。
【０００６】
以上のように、従来の装置は、簡便、安全で効率の良い移乗補助装置というニーズを満たすものではない。
移乗補助装置は、高齢者や障がい者等要介護者の移動に伴って種々の場所で使用されることを配慮して、できる限り小型・軽量で、収納、搬送が容易なものが望ましい。
【課題を解決するための手段】
【０００７】
移乗時に移乗者が腰掛ける移乗板と脚を持つ支持体とで構成され、移乗板は昇降調節可能に支持体に接続された移乗補助装置とする。
【０００８】
移乗板は、水平の略平板状で、座面は湾曲して略「く」の字形状に形成した移乗補助装置とする。
【０００９】
移乗板は、前記略「く」の字形状の長手方向に沿って座表面に凹凸を設ける。
【００１０】
移乗板は、適宜手段により傾斜可能に前記支持体に接続された移乗補助装置とする。
【００１１】
移乗板は、座固定部基部で継手により折りたたむことを可能とする。
【００１２】
移乗板の前記略「く」の字形状の湾曲側（凹側）に移乗者の体幹を支持する背もたれを設ける。
【００１３】
移乗板の昇降調節の一手段として前記支持体の支柱部にガスシリンダを用いた移乗補助装置とする。
【００１４】
支持体の脚部にキャスターを設けた移乗補助装置とする。キャスターは前記移乗板への載荷により車輪が収納部内に退避してストッパー部が接地し、載荷解除時に弾性手段により復元するようにした移乗補助装置とする。
【００１５】
脚は、脚中央支持部基部で継手により折りたたむことを可能とする。
【００１６】
移乗板は、適宜手段により水平に回動可能に支持体に接続された移乗補助装置とする。
【発明の効果】
【００１７】
高齢者や障がい者等要介護者の移乗の対象と移乗方法は多様である。ただし移乗板を使用する場合は、移乗板に沿って移乗する動作は一定と考えて良い。
【００１８】
本発明の移乗補助装置の使用例として、車椅子からベッドへ移乗する場合を説明する。介護者は車椅子に座っている被介護者に対して前方または側方または後方から介助できる体勢をとり、車椅子シートに移乗板を敷き、もしくは差し込み、移乗すべきベッドにも移乗板が敷けるように設置し、その後、介護者は被介護者の体幹、下肢を誘導しながら移乗板の形状に沿ってベッドへ移動させる。
【００１９】
本装置は、車椅子、自動車の座席、浴室の椅子、ベッド、椅子、ソファーなどの間の移乗に利用できる。
【００２０】
本発明の移乗補助装置によれば、移乗者が移乗板に腰掛けて体重を移乗板に預けても脚を持つ支持体によって安定して支持されるので安心して移乗することができる。前述の特許文献２に関して記載したように、これまでのトランスファーボードなどは被介護者の体重を支持する強度が弱く、被介護者の体重により移乗途中にボードがたわんで被介護者がバランスを崩す恐れがあったが、本発明によって解決できる。
また、移乗板は昇降調節可能に支持体に接続されているので、対象物への移乗板の高さ調節が容易となる。
【００２１】
また、移乗板は、水平の略平板状で、座面は湾曲して略「く」の字形状に形成しているので、ベッド横に座っている被介護者を車椅子に移乗させる際に移乗板をベッドから車椅子の座に渡すときなど、この形状によって被介護者の脚と車椅子の肘掛け部を回避して渡すことができる。
【００２２】
本発明の移乗補助装置によれば、移乗板は、前記略「く」の字形状の長手方向に沿って座表面に凹凸を設けるので、凹凸溝に沿って臀部を滑らせ移乗板からの脱落を防ぐことができ、移乗板に沿ったスムースな移乗ができる。
【００２３】
また、長手方向の略直角断面を凹凸形状とすることで長手方向の剛性を高めることができる。これにより、移乗板をアルミニウムなどの金属材料や、プラスチックス、木材などで作製する場合に、板厚を薄くして軽量化を図ることができる。従来のプラスチック製トランスファーボードに起こる移乗途中のたわみや変形を改善でき、薄くても丈夫な移乗板を提供することができる。
【００２４】
本発明の移乗補助装置によれば、移乗板は傾斜可能に支持体に接続されているので、請求項１に記載の昇降調節機能と併せ、高さの異なる対象物間への本装置の配置などの対応が容易となる。
【００２５】
本発明の移乗補助装置によれば、移乗板は、座固定部基部で継手により折りたたむことを可能としており、本装置の輸送時および保管時の収納と運搬を容易にすることができる。折り曲げる方向は上方あるいは下方どちらも可能であるが、本装置の使用時は、適宜ストッパーを機能させ、使用時に移乗板が折りたたまれて使用者が移乗板から落下することを防ぐことができる。
【００２６】
本発明の移乗補助装置によれば、移乗板の前記略「く」の字形状の湾曲側（凹側）に背もたれを設けたので、体幹は背もたれによって支持されて安定な移乗が可能となる。
【００２７】
本発明の移乗補助装置によれば、移乗板の昇降調節の一手段として支持体の支柱部に一般に公知のガスシリンダを用いており、操作が容易で軽量、かつ入手が容易である。
【００２８】
本発明の移乗補助装置によれば、支持体の脚部にキャスターを設けたので、移乗対象物への本装置の配置が容易で、移動や運搬が容易にでき、キャスターは移乗板への載荷により車輪が収納部内に退避してストッパー部が接地するようにしており、移乗者が着座したとき本装置がずれるなどの移動がせず安心して移乗できる。また、載荷解除時に弾性手段により復元するようにしており無駄な操作を必要としないで使用できる。
【００２９】
本発明の移乗補助装置によれば、脚は脚中央支持部基部で継手により折りたたむことが可能であるので、本装置の輸送時および保管時の収納と運搬を容易にすることができる。また、折り曲げる方向は上方あるいは下方どちらも可能であるが、本装置の使用時は、適宜ストッパーを機能させ、使用時に脚が折りたたまれて転倒することを防ぐことができる。
【００３０】
本発明の移乗補助装置によれば、移乗板は、適宜手段により水平に回動可能に支持体に接続されているので、ベッドから車椅子への移乗など移乗対象物間への本装置の位置決めなどの配置を容易にすることができる。
【００３１】
本装置により、介助又は自身による移乗の際の被介護者および介護者双方の労力を軽減し、安全に安定した移乗が可能になる。また、移乗介助の際に発生する介護者の腰等への負担を軽減できる。
【００３２】
また、本装置により、高齢者や障がい者のケア及びリハビリテーションや多様な日常生活動作（ＡＤＬ）の向上に貢献できる。
【実施例１】
【００３３】
以下、図面を参照しつつ、本発明に係る移乗補助装置の実施の形態について詳細に説明する。
図１〜図１０は、本発明に係る一実施例を示す。図１は本発明の移乗補助装置全体の正面図、図２はその左側面図、図３は平面図、図４は下面図である。
【００３４】
本発明の移乗補助装置は、垂直に配置された伸縮とロック機能を有する機能部材として本例では公知のガスシリンダ１１と、このガスシリンダを支える脚２１と、ガスシリンダの上部に水平回動自在に設けた座支持部３１と、座支持部３１に対して垂直方向に回転自在にして傾斜可能に設けた座固定部４１と、移乗板５１及び背もたれ６１で概略構成される。ここで、前記の支持体はガスシリンダ１１、脚２１、座支持部３１で概略構成される。
【００３５】
ガスシリンダ１１は、シリンダ１１a、ピストン１１ｂ、ピストン１１ｂの先端に設けられたピン１１ｃで概略構成される。ピン１１ｃを押し下げている時に、ピストンとシリンダ間に負荷を与えると短縮し、負荷を取り除くと伸長する機能を有する。
ガスシリンダ１１を垂直に配置し下部は脚中央部２３に固定支持される。
【００３６】
本例では脚の数を３としているが、その他の複数の脚数であっても良いし円盤であってもかまわない。３つの脚２１は脚中央部２３に連結される。
【００３７】
ピストン１１ｂの上部に座支持部３１を設ける。座支持部３１の軸受け部３１ａと座固定部４１の軸受け部４１ａは軸４２で連結され、これにより座固定部４１に取り付けられた移乗板５１は垂直方向に回動し傾斜が可能である。
【００３８】
座支持部３１と座固定部４１間にバネ４３を設け、これにより移乗板の載荷解除時に垂直方向の傾斜を復元させる。バネ４３は前記復元を目的とした伸縮部材であってゴムなどの弾性部材でも良い。
【００３９】
移乗板５１は座固定部４１に取り付けるが、固着しても良いし、ネジなど締結手段で着脱可能にしても良い。背もたれ６１は座固定部４１に垂直に取り付けられ、搬送把持用に穴６２を貫通して開けてあると便利である。
【００４０】
座支持部３１の軸受け部３１ａに軸３３を設け、軸３３に操作レバー３５を固着してテコ状に作用させる。操作レバー把持部３６を上方に操作すると軸３３を介して操作レバー３５の先端はガスシリンダのピン１１ｃを押し下げる。このとき移乗板５１への載荷がなければ上昇し、載荷すると下降することができる。
【００４１】
図３〜図５に、移乗板の形状として、被介護者が背もたれ６１に背を接し腰掛けた状態で、略「く」字形状の移乗板の例を示す。ベッドなどに横座りしている被介護者の臀部の下に移乗板の長手方向端部を差し込み臀部が横滑りして本装置の座面に乗り移る。この後、逆の動作で他の対象物に乗り移る動作を補助するものである。
【００４２】
図５に移乗板５１の長手方向に、本例の場合はハの字形状に沿って複数の凹凸溝を設けてある。同図にこの場合のＡ−Ａ矢視断面を示した。また、図６にＢ−Ｂ矢視断面で示すように断面両端を凸に、断面中央部全体にくぼみを付けた例を示した。これによって移乗板に沿って脱落を防いで滑りやすくしている。
【００４３】
図７において、装置の搬送を容易にするため、移乗板５１を折りたたむ場合を説明する。図７には、Ｃ−Ｃ矢視方向からの移乗板の一部断面をＣ−Ｃ矢視断面（１）として、移乗板５１の端部側５１ａを中央部５１ｂから折りたたみ部Ｄで上方に折りたたんだ状態をＣ−Ｃ矢視断面（２）として示した。端部側５１ａと中央部５１ｂは折りたたみ部Ｄで凹凸を相互に組み合わせてピン５２により継手とし、端部側５１ａを上方に上げて折りたたむことができる。
【００４４】
復元する場合は、端部側５１ａを下方に下げて、継手の下部に端部側ストッパー５４と中央部側ストッパー５３が当接して上面は平面となる。継手部における平面を保つ機構については、前記の他、端部側５１ａと中央部５１ｂを水平に保持するための固定手段を着脱自在に設けるなど適宜手段を設ける。
【００４５】
また、移乗板端部側５１ａを下方に折りたたむ場合は、上記と同様にピン５２の継ぎ手により折りたたむことが可能である（当然のことながら端部側ストッパー５４と中央部側ストッパー５３は不要）。ただし、この場合は本装置使用時における移乗板端部側５１ａにかかる力が折り曲げる方向と一致して移乗板の機能を発揮しないので、端部側５１ａと中央部５１ｂを水平に保持するための固定手段を着脱自在に設けるなど適宜手段を設ける。
【００４６】
端部側ストッパー５４と中央部側ストッパー５３を固定する一例として、両者が平面上にあるとき、ピン５２の近傍で移乗板端部側５１ａと中央部５１ｂを貫通した穴５５にピンを挿入して固定する方法がある。
【００４７】
図１、図４に脚２１に設けたキャスター２０の配置を示し、図８に脚の一部断面の詳細図を示した。本例のキャスター２０は、公知のボールキャスター２４、バネ２５、キャスター収納部２６で概略構成される。キャスター収納部２６は脚２１の内部に固着される。移乗板５１に腰掛けるなど載荷時にはボールキャスター２４は上方に移動しストッパー２７が床面に接地する。
【００４８】
載荷を解除するとバネ２５により復元する。ストッパーは移乗時に本装置を床に固定する目的があり、床面で滑りづらいゴム質材料を使うと効果がある。
【００４９】
キャスター２０を設ける目的は、本装置の移動性や、移乗対象物間への配置の容易性を考慮したものであって、この目的を重要視しない場合は、キャスター２０を設けないでもよい。図９において装置の搬送を容易にするため、脚を折りたたむ場合を説明する。本図は脚２１の中央側の一部を断面で表している。軸受け７１を脚中央部２３に固定して設け、ピン７２を介して脚２１の中央側端部Ｅが接続される。これにより脚２１は下方に折りたたむことができる。
【００５０】
復元するときは、脚２１を上方に上げて中心部方向端部２１ａが脚中央部２３に当接して定位置に戻る。本装置の使用時は、脚２１の中心部方向端部２１ａが脚中央部２３に当接してこれ以上上方に上がらないので安全である。
【００５１】
また、脚２１を上方に折りたたむ場合は、前記と同様に脚２１の中央側両端部でピン継ぎ手により折りたたむことが可能である。ただし、この場合は本装置使用時における脚２１にかかる力が折り曲げる方向と一致して転倒することになるので、ストッパーにより固定するなど（図示せず）適宜手段を設ける。
【００５２】
図１０に、ピストン１１ｂの上部に水平回動自在に設けた回動軸受け３２を介して座支持部３１を設けた場合を部分図で示す。回動軸受け３２によって移乗板５１及び背もたれ６１は水平回動が可能である。
【産業上の利用可能性】
【００５３】
特殊な製造技術を要せずに製造することができ製品化の可能性が大きく、福祉機器関連製造業に貢献することができ、高齢者や障がい者等の要介護者や介護者などに貢献できる。
【図面の簡単な説明】
【００５４】
【図１】本発明の移乗補助装置全体の正面図
【図２】同上の左側面図
【図３】同上の平面図
【図４】同上の下面図
【図５】移乗板凹凸面の説明図
【図６】移乗板凹凸面の説明図
【図７】移乗板の折りたたみ説明図
【図８】脚部の詳細図
【図９】脚部の折りたたみ説明図
【図１０】移乗板の回動説明図
【符号の説明】
【００５５】
１１ ガスシリンダ
２０ キャスター
２１ 脚
２３ 脚中央部
２４ ボールキャスター
２５ バネ
２６ キャスター収納部
２７ ストッパー
３１ 座支持部
３２ 回動軸受け
３３ 軸
３５ 操作レバー
４１ 座固定
４２ 軸
４３ バネ
５１ 移乗板
６１ 背もたれ
７１ 軸受け
７２ ピン
【図１】
0005142693.tif 000002
【図２】
0005142693.tif 000003
【図３】
0005142693.tif 000004
【図４】
0005142693.tif 000005
【図５】
0005142693.tif 000006
【図６】
0005142693.tif 000007
【図７】
0005142693.tif 000008
【図８】
0005142693.tif 000009
【図９】
0005142693.tif 000010
【図１０】
0005142693.tif 000011